(57)【要約】【課題】  登山者が遭難してしまった場合に迅速な救助ができるようにした登山計画書管理システムを提供する。【解決手段】登山計画書管理システム（１００）は、サーバ（５０）と登山者が携帯する携帯端末（１０）とを有する。携帯端末は、ＧＰＳ部（１１）と位置情報を送信する端末送信部（１９）とを有する。サーバは、登山者が記入した登山計画書（６０）を記憶する計画書記憶部（５２）と、位置情報を受信するサーバ受信部（５７）と、位置情報を記憶する位置情報記憶部（５３）と、登山者が記入した登山計画書の下山口及び下山日時と位置情報とに基づいて登山者の下山を判断する位置情報管理部（５４）と、登山者が下山していないと位置情報管理部が判断した場合に登山計画書に記載された関係者に下山未完情報を送信するサーバ送信部（５７）と、を有する。【選択図】  図２
2014049065.tif 000002
【特許請求の範囲】
【請求項１】
登山者が入山にあたって必要な情報を管理する登山計画書管理システムであって、
ＧＰＳによる位置情報を検出するＧＰＳ部と前記位置情報を送信する端末送信部とを有し、前記登山者が携帯する第１携帯端末と、
前記登山者が記入した前記登山計画書を記憶する計画書記憶部と、前記第１端末機器から送信された前記位置情報を受信するサーバ受信部と、前記位置情報を記憶する位置情報記憶部と、前記登山者が記入した前記登山計画書の下山口及び下山日時と前記位置情報とに基づいて前記登山者の下山を判断する位置情報管理部と、前記登山者が下山していないと前記位置情報管理部が判断した場合に前記登山計画書に記載された関係者に下山未完情報を送信するサーバ送信部と、を有するサーバと、
を備える登山計画書管理システム。
【請求項２】
前記位置情報管理部は、前記登山計画書の入山口から前記下山口までの経路において、前記ＧＰＳ部からの位置情報を受信した場合に、前記登山者の下山を判断する請求項１に記載の登山計画書管理システム。
【請求項３】
前記第１携帯端末は、時間を計測する時計と、落下を検出する検出器と、前記時間と前記落下とに基づいて滑落か否かを判定する滑落判定部と、を有し、
前記端末送信部は、前記滑落と判定した場合に滑落情報を前記サーバ受信部に送信し、
前記サーバ送信部は前記関係者に前記滑落情報を送信する請求項１又は請求項２に記載の登山計画書管理システム。
【請求項４】
前記第１端末送信部は、前記滑落と判定した場合に前記ＧＰＳ部による位置情報を前記サーバ受信部に送信し、
前記サーバ送信部は、前記滑落したと判断した際の前記位置情報と前記位置情報記憶部に記録された他の登山者の位置情報とに基づいて、前記滑落した位置情報から第１範囲内にいる前記他の登山者の第２携帯端末に対して前記滑落情報を送信する請求項３に記載の登山計画書管理システム。
【請求項５】
前記第１携帯端末は、音を発するスピーカと光を発する光源とを有し、
前記位置情報管理部は、前記他の登山者の第２携帯端末が前記第１範囲よりも狭い第２範囲内に入った判断した際に、前記サーバ送信部は、前記第１携帯端末に前記音と前記光とを発するように信号を送信する請求項４に記載の登山計画書管理システム。
【請求項６】
前記第１携帯端末は、
前記登山者の脈拍数、経皮的動脈血酸素飽和度（ＳｐＯ２）、血圧又は体温の少なくとも一つの体調を計測する体調計測器と、
前記脈拍数、経皮的動脈血酸素飽和度（ＳｐＯ２）、血圧又は体温に基づいて前記登山者の体調異常を検出する体調異常検出部と、を有し、
前記端末送信部は、前記体調異常を検出した際に、前記体調異常を前記サーバ受信部に送信し、
前記サーバ送信部は、前記関係者に前記体調異常情報を送信する請求項１又は請求項２に記載の登山計画書管理システム。
【請求項７】
前記第１端末送信部は、前記体調異常を検出した際に前記ＧＰＳ部による位置情報を前記サーバ受信部に送信し、
前記位置情報管理部は、前記体調異常したと判断した際の前記位置情報と前記位置情報記憶部に記録された他の登山者の位置情報とを判断し、前記サーバ送信部は、前記体調異常を検出した際の位置情報から第１範囲内にいる前記他の登山者の第２携帯端末に対して前記体調異常情報を送信する請求項６に記載の登山計画書管理システム。
【請求項８】
前記第１携帯端末は、該第１携帯端末の周囲の気温、湿度、気圧、風速、有毒ガス又は落雷の少なくとも一つの環境情報を計測する環境計測器を有し、
前記端末送信部は、前記気温、湿度、気圧、風速、有毒ガス又は落雷の少なくとも一つの環境情報と前記ＧＰＳ部による位置情報とを前記サーバ受信部に送信し、
前記サーバは、前記環境情報に基づいて危険環境があると判断する危険環境判断部を有し、
前記サーバ送信部は、前記位置情報から第１範囲内にいる前記他の登山者の第２携帯端末に対して前記危険環境情報を送信する請求項１又は請求項２に記載の登山計画書管理システム。
【発明の詳細な説明】
【技術分野】
【０００１】
本発明は、登山者が携帯する携帯端末を使用して、登山者が入山にあたって必要な各種情報を管理する登山計画書管理システムに関する。特に携帯端末を使って、登山者が入山する時点から下山する時点まで、登山者の登山状況を把握する登山計画書管理システムに関する。
【背景技術】
【０００２】
登山者は、多くの山岳では自主的に登山計画書を登山ボックス又は警察などに提出することで、遭難時の救出のための情報を届出しておく。多くの場合、下山完了の報告を提出することがないため、登山計画書の情報は、あくまで登山者の遭難を家族などの第三者が警察等に知らせた場合に利用することになり、遭難の早期発見の役割は担っていない。そのため、登山者が遭難したこと自体が把握できないまま日数が経過してしまい、発見が遅れたために死亡や後遺症などの状態を招いている。
【０００３】
このため、特許文献１に開示されるように、登山者が遭難等で下山予定日になっても下山しない場合に、短時間で登山者の捜索を行う登山情報管理システムが提案されている。
【０００４】
一方、そもそも登山者ができるだけ遭難しないように、登山者の身の危険を回避させるための情報通知システムが提案されている。特許文献２の情報通知システムは、登山者が先ず事前に専用端末に対して、登山する予定の日時と、予定のコース等を登録する。そして、登録情報を受け取った通知システムは、登録者の情報を元に登録者毎にその状況に合わせて天候の変化や、日没時間等の情報を登録者行動管理システムから登山者の携帯端末に通知している。
【先行技術文献】
【特許文献】
【０００５】
【特許文献１】特開２００２−１３３０３９号公報
【特許文献２】特開２００１−１６０１９３号公報
【発明の概要】
【発明が解決しようとする課題】
【０００６】
しかしながら、特許文献１の登山情報管理システムは、登山者に情報を記憶するＩＣタグを貸与しなければならず、さらに山岳の経路にチェックポイントでＩＣタグを情報読み取り機器に読み取らせなくてはならない。ＩＣタグを貸与する作業、チェックポイントの設置作業に費用がかかることからなどから導入には障害が多い。
【０００７】
また、特許文献２の情報通知システムは、登山者が遭難しないようなサポートをしているが、実際に遭難してしまった場合については何ら考慮されていない。
そこで、費用をかけることなく、登山者が遭難してしまった場合に迅速な救助ができるようにした登山計画書管理システムを提供する。
【課題を解決するための手段】
【０００８】
第１の観点の登山計画書管理システムは、登山者が入山にあたって必要な情報を管理する登山計画書管理システムに関する。登山計画書管理システムは、サーバと登山者が携帯する第１携帯端末とを有する。第１携帯端末は、ＧＰＳによる位置情報を検出するＧＰＳ部と位置情報を送信する端末送信部とを有する。サーバは、登山者が記入した登山計画書を記憶する計画書記憶部と、第１端末機器から送信された位置情報を受信するサーバ受信部と、位置情報を記憶する位置情報記憶部と、登山者が記入した登山計画書の下山口及び下山日時と位置情報とに基づいて登山者の下山を判断する位置情報管理部と、登山者が下山していないと位置情報管理部が判断した場合に登山計画書に記載された関係者に下山未完情報を送信するサーバ送信部と、を有する。
【０００９】
第２の観点の登山計画書管理システムの位置情報管理部は、登山計画書の入山口から下山口までの経路において、ＧＰＳ部からの位置情報を受信した場合に、登山者の下山を判断する。
【００１０】
第３の観点の登山計画書管理システムにおいて、第１携帯端末は、時間を計測する時計と、落下を検出する検出器と、時間と落下とに基づいて滑落か否かを判定する滑落判定部と、を有する。端末送信部は、滑落と判定した場合に滑落情報をサーバ受信部に送信し、サーバ送信部は関係者に滑落情報を送信する。
さらに、第１端末送信部は、滑落と判定した場合にＧＰＳ部による位置情報をサーバ受信部に送信する。そして、サーバ送信部は、滑落したと判断した際の位置情報と位置情報記憶部に記録された他の登山者の位置情報とに基づいて、滑落した位置情報から第１範囲内にいる他の登山者の第２携帯端末に対して滑落情報を送信する。
さらに、第１携帯端末は、音を発するスピーカと光を発する光源とを有する。そして、位置情報管理部は、他の登山者の第２携帯端末が第１範囲よりも狭い第２範囲内に入った判断した際に、サーバ送信部は、第１携帯端末に音と光とを発するように信号を送信する。
【００１１】
第４の観点の登山計画書管理システムにおいて、第１携帯端末は、登山者の脈拍数、経皮的動脈血酸素飽和度（ＳｐＯ２）、血圧又は体温の少なくとも一つの体調を計測する体調計測器と、脈拍数、経皮的動脈血酸素飽和度（ＳｐＯ２）、血圧又は体温に基づいて登山者の体調異常を検出する体調異常検出部と、を有する。そして、端末送信部は、体調異常を検出した際に、体調異常をサーバ受信部に送信する。サーバ送信部は、関係者に体調異常情報を送信する。
さらに、第１端末送信部は、体調異常を検出した際にＧＰＳ部による位置情報をサーバ受信部に送信する。位置情報管理部は、体調異常したと判断した際の位置情報と位置情報記憶部に記録された他の登山者の位置情報とを判断する。そして、サーバ送信部は、体調異常を検出した際の位置情報から第１範囲内にいる他の登山者の第２携帯端末に対して体調異常情報を送信する。
【００１２】
第５の観点の登山計画書管理システムにおいて、第１携帯端末は、該第１携帯端末の周囲の気温、湿度、気圧、風速、有毒ガス又は落雷の少なくとも一つの環境情報を計測する環境計測器を有する。端末送信部は、気温、湿度、気圧、風速、有毒ガス又は落雷の少なくとも一つの環境情報とＧＰＳ部による位置情報とをサーバ受信部に送信する。そして、サーバは、環境情報に基づいて危険環境があると判断する危険環境判断部を有する。サーバ送信部は、位置情報から第１範囲内にいる他の登山者の第２携帯端末に対して危険環境情報を送信する。
【発明の効果】
【００１３】
本発明は、登山者が遭難してしまった可能性がある場合に、迅速に関係者に連絡ができるようにした登山計画書管理システムを提供する。
【図面の簡単な説明】
【００１４】
【図１】本発明に係る登山計画書管理システムの概略構成の一例を示す図である。
【図２】図１の登山計画書管理システムのブロック図である。
【図３】登山計画書のＷＥＢ画面の一例である。
【図４】登山計画書のＷＥＢ画面の一例である。
【図５】下山又は遭難判断のフローチャートである。
【図６】危険環境判断のフローチャートである。
【図７】滑落の連絡を説明するフローチャートである。
【図８】遭難した登山者の情報収集フローチャートである。
【発明を実施するための形態】
【００１５】
以下、本実施形態に係る登山計画書管理システムを説明する。
図１は本発明に係る登山計画書管理システムの概略構成の一例を示す図である。図２は図１の登山計画書管理システムのブロック図である。
【００１６】
＜登山計画書管理システムの構成＞
図１において、登山計画書管理システム１００は、大別して、登山者が所有する携帯端末１０と登山計画書を管理する管理会社又は警察署等に設けられたサーバ５０とから構成される。携帯端末１０は、例えばスマートフォンなどの携帯電話、通信機能を内蔵するカメラ、通信機能を有するノートパソコン又はタブレット端末を含む。また、携帯端末１０は、グローバル・ポジショニング・システム （Global Positioning System (GPS)によって現在位置の検出が可能な端末である。
【００１７】
携帯端末１０は、気象状況及び有毒ガスなどの環境情報を検出したり、登山者の体調を検出したりする環境／体調計測器２０を着脱可能である。この環境／体調計測器２０は、携帯端末１０に内蔵されていても良い。ある山岳に登山する登山者は何百人といるが、本実施形態では登山者Ａ及び登山者Ｂを代表して説明する。また複数人からなるパーティで登山することが多いが、本実施形態では複数人からなる登山者であっても１人の登山者Ａ又は登山者Ｂとして説明する。
【００１８】
サーバ５０は、インターネット回線又は他の通信手段を介して、携帯端末１０から情報を受信し又は情報を携帯端末１０に送信する機能を有するホスト・コンピュータである。また、通信回線としては、数ｍ程度の短距離無線通信から又は衛星を使った衛星通信を含む。
【００１９】
＜携帯端末の構成＞
図１及び図２に示されるように、携帯端末１０は、文字又は画像を表示するＬＣＤ画面を有している。そして携帯端末１０は、ＧＰＳ部１１、ジャイロスコープ１２、スピーカ１３、滑落判断部１４、入力部１５、通信ログ記憶部１６、時計１７、ＬＥＤ光源１８、送信・受信部１９、及び接続部ＥＣを有している。これらはＢＵＳ回線で互いに接続されている。
【００２０】
ＧＰＳ部１１は、３機以上のＧＰＳ衛星からの電波を受信して現在位置を検出する。ジャイロスコープ１２は、物体の角度や角速度を検出する
1346730948893_0
。ジャイロスコープ１２が検出した角度や角速度から物体の落下を検出する。ジャイロスコープ１２の変わりに、磁界の向きを検出する地磁気センサ又は加速度を検出する加速度センサを用いて、物体の落下を検出しても良い。
【００２１】
スピーカ１３は、アラーム音又は音声を発する。滑落判断部１４は、登山者の滑落を判断する。入力部１５は、携帯端末１０の枠に配置されたスイッチ類である。また入力部１５は、ＬＣＤ画面がタッチパネル型であれば、タッチパネルも含まれる。通信ログ記憶部１６は、登山者Ａと登山者Ｂと（図１を参照）が山道ですれ違った際に、数ｍ程度の短距離無線通信をした通信ログを記憶する。時計１７は、水晶発振器などを使って時間を計測する。ＬＥＤ光源１８は、光を点滅させたり発光したりする。送信・受信部１９は、パケット通信、Ｗｉ-Ｆｉ（ワイファイ）通信、数ｍ程度の短距離無線通信であるＢｌｕｅｔｏｏｔｈ（登録商標）による通信、又は衛星通信によりデータを送信・受信する。外部接続部ＥＣは、他の外部機器と接続するための端子である。
【００２２】
ここで滑落判断部１４について簡単に説明する。滑落判断部１４は、ジャイロスコープ１２が検出した角速度及び時計１７で計測された時間に基づいて、登山者の滑落を判断する。例えば登山者が誤って携帯端末１０を地面に落としてしまうことがある。このような場合でも、ジャイロスコープ１２が角速度を検出してしまうが、角速度を検出している時間は０．５秒以内が大半である。例えば登山者が頭の上に持ち上げた携帯端末１０を落としたとしても、約０．６秒である。このため、滑落判断部１４は、角速度を検出している時間が基準値（０．７秒）以上であった場合に、登山者が滑落したと判断する。
【００２３】
滑落判断部１４のソフト、滑落判断した際にその情報を送信するソフト及びＧＰＳ部１１で検出した現在位置を送信するソフトは、アプリケーションソフトとして、携帯端末１０にインストールされる。またアプリケーションソフトは、後述する環境／体調計測器２０が計測した体調や環境も一定時間ごと又は適宜送信するソフトも含んでいる。
【００２４】
また、通信ログ記憶部１６について簡単に説明する。携帯端末１０は、アプリケーションソフトにより、後述する登山計画書６０に記録された入山予定日時から下山予定日時までの日程の間、登山者Ａと登山者Ｂとが山道ですれ違うと、日時と携帯端末１０を特定する短距離無線通信を互いに自動的に行う。数ｍ程度の短距離無線通信は、Ｂｌｕｅｔｏｏｔｈ（登録商標）で可能である。通信ログ記憶部１６は、この通信ログを記憶する。
【００２５】
＜環境／体調計測器の構成＞
環境／体調計測器２０は、環境／体調計測器２０内の外部接続部２６を介して携帯端末１０に接続される。本実施形態では、環境／体調計測器２０が携帯端末１０に着脱可能な例で説明するが、環境／体調計測器２０が携帯端末１０に内蔵されていてもよい。
【００２６】
環境／体調計測器２０は、脈拍数、経皮的動脈血酸素飽和度（ＳｐＯ２）、血圧又は体温の少なく一つの体調を計測する体調計測部２１と、気温、湿度、気圧、風速、有毒ガス又は落雷の少なくとも一つの環境を計測する環境計測部２２とを有している。体調計測部２１は、例えば登山者の耳たぶ若しくは指先などに取り付けられる。
【００２７】
体調計測部２１は、赤色光と赤外光とを登山者の指先に発し、これらの光が指先を透過または反射した量を計測して、経皮的動脈血酸素飽和度（ＳｐＯ２）を求める。血液中のヘモグロビンは酸素との結合の有無により赤色光と赤外光の吸光度が異なるので、経皮的動脈血酸素飽和度（ＳｐＯ２）を計測することができる。経皮的動脈血酸素飽和度（ＳｐＯ２）は、登山者が高度順化の目安になる。
【００２８】
環境計測部２２は、携帯端末１０の周辺の温度、湿度、気圧を測定する。また、火山ガスを噴き出す山岳があり、その火山ガスは二酸化硫黄（ＳＯ２）、硫化水素 （Ｈ２Ｓ）、二酸化炭素（ＣＯ２）などの有毒ガスを含む場合もある。環境計測部２２は、これら有毒ガスを定電位電解式センサで計測する。また、環境計測部２２は、例えば稲妻からの電磁波などを検出することで雷を計測する。
【００２９】
本実施形態では、環境／体調計測器２０が体調異常検出部２７を有している。後述するように、脈拍数、経皮的動脈血酸素飽和度（ＳｐＯ２）、血圧又は体温はサーバ５０に送信されるため、サーバ５０が体調異常検出部２７を有していてもよい。また、携帯端末１０が体調異常検出部２７を有していてもよい。
【００３０】
体調異常検出部２７は、登山者の体調異常を検出する。冬山登山で登山者がかかる偶発性低体温症は、体温が３５度以下になりさらに脈拍数が少なくなり血圧も下がった状態である。このため、体調異常検出部２７は、体温、脈拍数及び血圧に基づいて登山者の手偶発性低体温症を検出する。また、落石又は転倒などによって登山者が大きな怪我した場合には急激に血圧が下がる。このため、体調異常検出部２７は、血圧に基づいて登山者の怪我を検出する。また、体調異常検出部２７は、経皮的動脈血酸素飽和度（ＳｐＯ２）に基づいて登山者が高山病にかかったか否かを検出する。
【００３１】
＜サーバの構成＞
サーバ５０は、ＷＥＢ管理部５１、計画書記憶部５２、位置情報記憶部５３、位置情報管理部５４、環境記憶部５５、危険環境判断部５６、送信・受信部５７及び遭難情報管理部５８を有している。なお、送信・受信部５７は、携帯端末１０の送信・受信部１９と同様な構成であるので、説明は割愛する。
【００３２】
（登山計画書の記載に関して）
ＷＥＢ管理部５１は、携帯端末１０からサーバ５０へのアクセスに対して、携帯端末１０のＬＣＤ画面に登山計画書６０を記載する画面を表示する。登山計画書６０の一例が図３及び図４に示されている。なお、登山計画書６０の記入は、携帯端末１０だけでなく、ディスクトップパソコン等の固定式のコンピュータからアクセスしてもよい。
【００３３】
図３及び図４は、携帯端末１０からサーバ５０にアクセスした際にＬＣＤ画面に表示される例である。まず、登山者（登山パーティを含む）は、代表者の書誌的事項６１を記入する。例えば代表者の氏名、住所、連絡先及びメールアドレスである。後に、今回の登山計画書６０を修正又は変更する際に、ユーザＩＤとして登録されたメールアドレスが使われる。
【００３４】
また、登山者は、パスワード６２を設定する。ユーザＩＤであるメールアドレスとパスワード６２から、代表者の書誌的事項６１が読み出される。
また、登山者は、同行者名６３を登録することができる。図３では一名の行しか描かれていないが、図３に描かれる“同行者追加”のボタンをクリックすると、さらに一人分の同行者名を登録する行が現れる。図３では描かれていないが、同行者の住所及び連絡先を登録できるようにしても良い。
【００３５】
また、登山者は、万一、遭難の可能性が発生した場合の連絡先６４を登録する。例えば連絡先名として親族名又は職場名、その連絡先のメールアドレス及び電話番号を登録する。図３では一名の連絡先しか描かれていないが、図３に描かれる“連絡先追加”のボタンをクリックすると、さらに一人分の遭難の可能性がある場合の連絡先を登録することができる。もちろん、地元警察又は地元救助隊の連絡先を登録してもよい。
【００３６】
また、登山者は、保険情報６５を登録することができる。現在、様々な山岳保険が存在し、任意で登山者は加入している。しかし、その保険の情報について登山者本人しか把握していないため、登山者自身が遭難した可能性がある場合に、親族又は職場の同僚などの第三者が捜索を依頼すると、保険情報を知らないまま金銭的な負担をする場合もある。このため、遭難の可能性が発生した場合の連絡先６４には、登録された保険情報６５も連絡する。
【００３７】
また、登山者は、登録時の外観情報６６を登録することができる。遭難の可能性がある場合には、警察などの救助隊は、同じ山岳を登った他の登山者に、遭難の可能性がある登山者に実際に出会っていないか等を尋ねることが多い。そのようなときに、救助隊が登山者を特定するために、登山時の服装、装備などを、他の登山者に尋ねる情報として外観情報６６を登録しておく。登山時に背負うバックパック類又は登山時に着るウエア類の写真をアップロードすることも可能である。
【００３８】
さらに、登山者は、行動予定表を記入する。まず入山予定日時と下山予定日時との日程７１を登録する。さらに、入山口から下山口までの移動ルート７２を登録する。その途中のルートは少なくとも２以上（２番目、３番目）は登録するようにしてある。例えば２番目に「○△山小屋」、３番目に「△□峠」と登録する。図４では５番目までルートが登録できるようになっているが、さらに、図４に描かれる“ルート追加”のボタンをクリックすると、６番目、７番目……のルートを追加できる。
【００３９】
また、入山口から下山口までの移動ルートに関する移動予定図７３を記入するようにする。画面に直接描いても良いが、概念図の画像ファイルなどをアップロードするようにしてもよい。
さらに、山小屋かテントなどで宿泊するかなどの宿泊方法７４を記入する。これら登山計画書６０は、携帯端末１０の記憶部に記憶される。
【００４０】
またこれらの情報を記入すると、登山者は送信ボタン７５をクリックする。すると、記入された登山計画書６０は、サーバ５０の計画書記憶部５２に登録される。
【００４１】
以下、登山計画書管理システム１００の動作について説明する。
（位置情報に関して）
携帯端末１０のＧＰＳ部１１は、携帯端末１０の現在位置を検出し、携帯端末１０の送信・受信部１９が、その現在位置をサーバ５０に送信する。サーバ５０は、送信・受信部５７を介して、その現在位置を位置情報記憶部５３に記憶する。位置情報記憶部５３は、半導体メモリ又はハードディスク等からなる記憶媒体である。
【００４２】
例えば、携帯端末１０のＧＰＳ部１１は、登山計画書６０の入山予定日時に従い、入山予定日時になったら、所定時間毎（例えば１時間毎）に現在位置を検出する。そして、基本的に下山予定日時まで、ＧＰＳ部１１は現在位置を検出し、送信・受信部１９が、その現在位置をサーバ５０に送信する。そしてサーバ５０の位置情報記憶部５３は、日時及び現在位置を記憶する。
【００４３】
位置情報管理部５４は、登山者が下山したか否かを判断する。登山計画書６０に記載された下山予定日時を一定時間過ぎても下山が確認できない場合には、遭難の可能性ありと判断する。登山者が移動ルートの一つでも通って登山計画書６０に記載された下山口付近に到達していたら、予定日時にかかわらず下山完了と判断する。以下、図５に描かれた、下山又は遭難判断のフローチャートを説明する。
【００４４】
ステップＳ１１では、携帯端末１０に記憶された登山計画書６０の入山予定日時に達したことを確認する。なお、入山予定日時のα時間前からＧＰＳ部による現在位置を検出する場合には、”入山予定日時−α時間”に達したことを確認するようにする。
ステップＳ１２では、ＧＰＳ部１１が携帯端末１０の現在位置を検出する。入山予定日時に達してからＧＰＳ部１１を駆動させることで、ＧＰＳ部１１の消費電力を少なくする。一般にＧＰＳ部１１は消費電力が大きいので、必要最低限の範囲で、ＧＰＳ部１１を駆動する。
ステップＳ１３では、携帯端末１０の送信・受信部１９が、現時位置と日時とをサーバ５０に送信し、サーバ５０の送信・受信部５７が現時位置と日時とを受信する。
【００４５】
ステップＳ１４では、サーバ５０の位置情報管理部５４は、現時位置が、計画書記憶部５２に記憶されている登山計画書６０の入山口の付近が否かを判断する。また、位置情報管理部５４は、現時位置が、登山計画書６０に記載された入山口から下山口までのルートの間かも判断する。別言すれば、登山者が入山したか否かを判断する。登山者は、天候などにより入山予定日時と多少異なる時間に入山することは多々ある。予定日時より早く入山することもあれば、遅く入山することもある。すでに登山者が入山しているのであれば、ステップＳ１６に進み、まだ登山者が入山していないのであればステップＳ１５に進む。
【００４６】
ステップＳ１５では、サーバ５０は、登山者に入山予定日時７１（図４を参照）を変更するようにメールアドレス宛に電子メールを送る。例えば天候が悪く入山を１日遅らせるようなことは登山ではよくあることであり、そのような場合に、登山者に入山予定日時と下山予定日時との日程７１を変更するように依頼する。また、登山者が入山していないにも関らず、ＧＰＳ部を駆動させることは電力の無駄使いになるからである。
ステップＳ１６では、ステップＳ１４で登山者が入山したことが確認できたため、サーバ５０の位置情報記憶部５３は、日時及び現在位置を記憶する。
【００４７】
ステップＳ１７では、位置情報管理部５４は、ステップＳ１２で検出された現在位置が、下山口付近か否かを判断する。ここで、登山者は、入山口と下山口とを同じ場所を計画することも多い。また、入山予定日時と下山予定日時との日程７１が天候などにより予定と異なることも多い。例えば、登山計画書６０の入山予定日時を８月１日１０：００、下山予定日時を８月２日１０：００、更に入山口と下山口とを同じ箇所を登録していた場合に、登山者が８月３日１０：００に入山するとする。このとき、登山者が入山したにもかかわらず、下山口に登山者が下山したと判断しないように、位置情報管理部５４は、位置情報記憶部５３に入山口から下山口（入山口と同じ）までの移動ルートの一つでも記憶されて、且つ現在位置が下山口（入山口と同じ）付近である場合に、下山と判断する。まだ下山していないと判断すればステップＳ２０に進み、下山していると判断すればステップＳ１８に進む。
【００４８】
ステップＳ１８では、位置情報管理部５４は、登山者が下山完了と判断する。
ステップＳ１９では、ステップＳ１８の下山完了を受けて、サーバ５０の送信・受信部５７が携帯端末１０に、下山完了の確認の依頼を電子メール等で送信する。登山者は下山完了の確認を返信で回答することで、下山完了を確認する。ステップＳ１８で下山完了を確認しても良いが、登山計画書管理システム１００の故障などで下山が完了していないにもかかわらず下山完了と判断しないために、このステップＳ１９が用意されている。
【００４９】
ステップＳ２０では、位置情報管理部５４は、登山者が下山付近にいない場合に、下山予定日時より＋α時間経過していないか判断する。下山予定日時前であれば、まだ登山計画書６０のとおり未だ登山者は登山途中であると考えられる。また、＋α時間を加えているのは、実際の下山日時が天候などで下山予定日時より数時間遅れることが多々あるからである。下山予定日時より＋α時間経過している場合にはステップＳ２２に進み、下山予定日時より＋α時間経過していなければステップＳ２１に進む。
【００５０】
ステップＳ２１では、所定時間経過後に再びステップＳ１２に戻って、ステップＳ１２からステップＳ２０の工程を繰り返す。所定時間、例えば１〜３時間経過させる理由は、ＧＰＳ部１１の消費電力および送信・受信部１９の消費電力を少なくするためである。携帯端末１０のバッテリに余裕がある場合には、ステップＳ２１は所定時間経過を１０分としてもよい。
【００５１】
ステップＳ２２では、サーバ５０が、電子メール又は自動電話応答プログラムで、登山者に問い合わせをする。電子メール又は自動電話応答プログラムでは、“下山済み”又は“登山中”の応答ボタン（電話番号のボタン等）を押して、自動的に返信できるようにしている。予定していない下山口から登山者が下山した場合に、登山者は“下山済み”のボタンを押すことで下山を確認できる。登山者が“登山中”のボタンを押した場合には、ステップＳ２３に進む。登山者が所定時間内に回答しなかった場合や通信できない（連絡が取れない）場合には、ステップＳ２４に進む。図５のフローチャートに描かれていないが、“遭難”のボタンを用意してもよい。登山者が自ら遭難していると自覚している場合には、その“遭難”ボタンを押す。なお、“遭難”ボタンを押した場合には、ステップＳ２４に進む。
【００５２】
ステップＳ２３では、サーバ５０は、登山者に下山予定日時７１（図４を参照）を変更するようにメールアドレス宛に電子メールを送る。例えば天候が悪く下山を１日遅らせる場合、疲労回復のため余分に一泊するような場合には、登山者に下山予定日時を変更するように依頼する。
【００５３】
ステップＳ２４では、サーバ５０の送信・受信部５７は、遭難の可能性が発生した場合の連絡先６４に、登山者の遭難を電子メールで連絡したり、地元警察に位置情報記憶部５３に記憶された日時と現在位置とを含むデータを添付して電子メールで連絡したりする。またサーバ５０の管理モニタにも登山者の遭難が表示されるため、サーバ５０の管理責任者が、遭難状況を連絡先６４又は地元警察に連絡してもよい。特に、連絡先６４に保険情報６５も伝えると、連絡先の関係者は。金銭的な負担を躊躇することなく捜索を開始できる。
【００５４】
（環境データに関して）
携帯端末１０に接続された環境計測部２２は、携帯端末１０の周辺の環境を計測し、携帯端末１０の送信・受信部１９が、その環境をサーバ５０に送信する。サーバ５０は、送信・受信部５７を介して、その環境を環境記憶部５５に記憶する。
【００５５】
環境計測部２２は、登山計画書６０の入山予定日時に従い、入山予定日時になったら、所定時間毎（例えば１時間毎）に環境を計測する。そして、下山予定日時まで、環境測定部１１は環境を計測し、サーバ５０の環境記憶部５５は、日時及び環境を記憶する。
【００５６】
危険環境判断部５６は、環境記憶部５５に記憶された環境に基づいて、環境変化が大きく危険と判断したり、雷が発生しているので危険環境と判断したりする。危険な環境と判断されると、その危険環境に関する情報は、登山者に送信・受信部５７を介して伝えられる。以下、図６に描かれた、危険環境判断のフローチャートを説明する。
【００５７】
ステップＳ４１では、携帯端末１０に記憶された登山計画書６０の入山予定日時に達したことを確認する。
ステップＳ４２では、ＧＰＳ部１１が携帯端末１０の現在位置を検出する。
【００５８】
ステップＳ４３では、携帯端末１０に接続された環境計測部２２が、気温、湿度、気圧、有毒ガス及び雷の少なくとも一つの環境を計測する。有毒ガスは、山岳から噴き出している火山ガスのうち、有害な二酸化硫黄（ＳＯ２）、硫化水素 （Ｈ２Ｓ）、二酸化炭素（ＣＯ２）などである。
特に図６のフローチャートで示されていないが、有毒ガス及び雷は、登山者にとって明らかな危険環境であるため、携帯端末１０から登山者に有毒ガスを計測したことを知らせ、その場から退避するように指示する。また、雷が近くで発生していることを計測すれば、雷が接近中であることを知らせ、山小屋又は洞窟などに退避するように指示する。
【００５９】
ステップＳ４４では、携帯端末１０の送信・受信部１９が、現時位置と日時と環境データとをサーバ５０に送信し、サーバ５０の送信・受信部５７が現時位置と日時と環境データとを受信する。
ステップＳ４５では、受信した現在位置と日時を位置情報記憶部５３が記憶し、環境記憶部５５が日時と環境データとを記憶する。
【００６０】
ステップＳ４６では、危険環境判断部５６は、複数の環境データ及び現在位置に基づいて危険環境か否かを判断する。サーバ５０の位置情報記憶部５３及び環境記憶部５５には、登山者Ａだけでなく登山者Ｂ（図１を参照）など複数の登山者からも、日時、現在位置及び環境データを受信する。特に山岳では、気象庁などのマクロ的な気象データだけでは山岳の特定箇所の環境は明確に示すことができない。危険環境判断部５６は、山岳のミクロ的な環境データに基づいて危険環境を判断する。例えば、急激な気温変化や気圧変化は悪天候の予兆であり、このような予兆を危険環境と判断する。また、ステップＳ４３で説明したように、有毒ガス及び雷は、登山者にとって明らかな危険環境であるため、危険環境判断部５６は、このような環境データを受信した時点で危険環境と判断する。
【００６１】
ステップＳ４７では、位置情報管理部５４は、ステップＳ４５で記憶された現在位置に基づいて、危険環境の付近に居る登山者を特定する。この危険環境の付近とは例えば１ｋｍ半径以内などの第１範囲である。また、登山計画書６０に記録された移動ルート７２（図４を参照）とその登山者の現在位置とに基づいて、この危険環境に近づく登山者を特定する。例えば危険環境判断部５６がある地点で嵐（危険環境）が発生すると判断した場合には、その地点から第１範囲内に居る登山者Ａと登山者Ｂとを特定する。
【００６２】
ステップＳ４８では、サーバ５０の送信・受信部５７が登山者Ａと登山者Ｂとに嵐（危険環境）が発生することを送信する。
ステップＳ４９では、ステップＳ４８の下山予定日時が経過したか否かを判断し、まだ下山予定日時を経過していなければ、所定経過時間後（ステップＳ５０）、再びステップＳ４２からステップＳ４８までを繰り返す。
【００６３】
（登山者の滑落、体調異常に関して）
携帯端末１０は、滑落判断部１４を有している。滑落判断部１４は、角速度及び時間に基づいて、登山者の滑落を判断する。登山者が滑落した場合に、関係者に登山者の滑落を知らせる方法について説明する。図７は、滑落の連絡を説明するフローチャートである。
【００６４】
ステップＳ７１では、携帯端末１０に記憶された登山計画書６０の入山予定日時に達したことを確認する。
ステップＳ７２では、携帯端末１０の滑落判断部１４が、登山者が滑落したと判断する。
ステップＳ７３では、滑落した登山者の携帯端末１０は、昼間の時間帯であればその携帯端末１０のスピーカ１３（図２を参照）から大きな音量を出し、夜間であれば、スピーカ１３から大きな音量を出し且つＬＥＤ１８（図２を参照）から光を発する。但し、携帯端末１０の消費電力を考慮して、所定時間、例えば３０分間とする。滑落した登山者の近くに他の登山者がいる場合には、滑落した登山者を救出しやすくなる。
【００６５】
ステップＳ７４では、ＧＰＳ部１１が携帯端末１０の現在位置を検出する。
ステップＳ７５では、携帯端末１０の送信・受信部１９が、現時位置と日時と登山者の滑落データとをサーバ５０に送信し、サーバ５０の送信・受信部５７が現時位置と日時と滑落データとを受信する。
【００６６】
ステップＳ７６では、位置情報管理部５４は、登山者が滑落した位置に基づいて、滑落した登山者付近の他の登山者を特定する。この滑落した登山者付近とは例えば１ｋｍ半径以内などの第１範囲である。また、登山計画書６０に記録された移動ルート７２（図４を参照）とその登山者の現在位置とに基づいて、この滑落した登山者付近の他の登山者を特定する。仮に、１ｋｍ半径に登山者が居なければ、２ｋｍ半径を第１範囲と閾値を変更するようにしてもよい。
【００６７】
ステップＳ７７では、サーバ５０の送信・受信部５７が、ステップＳ７６で特定された他の登山者に登山者の滑落があった旨を送信する。また、サーバ５０の送信・受信部５７は、地元警察もしくは地元救助隊にも登山者の滑落があった旨を送信する。また、登山計画書６０に記載された緊急連絡先６４（図３を参照）にも送信する。この登山者の滑落に関しては、ＧＰＳ部が検出したＧＰＳ情報、ＧＰＳ部によって所定時間ごとに得られた実際の移動ルート、並びに登山計画書６０に記載された外観情報６６及び移動ルート７２（図４を参照）が含まれる。
【００６８】
ステップＳ７８では、位置情報管理部５３は、登山者の滑落した付近に、他の登山者又は地元警察もしくは地元救助隊に近づいたか判断する。但し、地元警察もしくは地元救助隊も本実施形態のアプリケーションソフトがインストールされた携帯端末１０を有している前提である。他の登山者又は地元警察等の携帯端末１０からＧＰＳ部１１による現在位置がサーバに送られているため、位置情報管理部５３は、登山者の滑落した付近に、他の登山者又は地元警察等が第２範囲に入ったか判断する。ここで第２範囲とは、例えば３０ｍ〜１００ｍと第１範囲に比べて狭い範囲である。第２範囲は、またステップＳ８１による音又は光による合図が届く範囲である。他の登山者又は地元警察等の滑落した登山者の第２範囲に入っていなければステップＳ７９に進み、第２範囲に入ればステップＳ８０に進む。
【００６９】
ステップＳ７９では、サーバ５０は他の登山者又は地元警察等の現在位置を所定時間ごとに受信し、ステップＳ７８の判断を繰り返す。
ステップＳ８０では、サーバ５０は滑落した登山者の携帯端末１０に、他の登山者又は地元警察等が第２範囲に入ったことを送信する。
【００７０】
ステップＳ８１では、滑落した登山者の携帯端末１０は、昼間の時間帯であればその携帯端末１０のスピーカ１３（図２を参照）から大きな音量を出し、夜間であれば、スピーカ１３から大きな音量を出し且つＬＥＤ１８（図２を参照）から光を発する。滑落した登山者が気を失っていても又は動けない場合であっても、音または光で滑落した登山者の場所を知らせ、登山者を救出することができる。
【００７１】
以上、登山者の滑落について説明したが、登山者は落石などで怪我をすることもあり、また高山病により動けなくなることもある。登山者が、体調計測部２１を装着していると、体調計測部２１が、登山者の脈拍数、経皮的動脈血酸素飽和度（ＳｐＯ２）、血圧又は体温を計測する。そして体調異常検出部２７が、脈拍数、経皮的動脈血酸素飽和度（ＳｐＯ２）、血圧又は体温に基づいて、体調異常、例えば怪我による出血、高山病、低体温症などを検出することができる。ステップＳ７２に代えて、体調異常検出部２７が登山者の体調異常を検出した後、サーバ５０にその体調異常を送信すること（ステップＳ７２’）で、滑落と同様な方法で、登山者を救出することができる。
【００７２】
（登山者の遭難に関して）
滑落又は体調異常などで登山者が遭難した際には、その遭難した登山者の情報をできるだけ集めることが必要である。ＧＰＳ部が現在位置を送信できる状態であればよいが、滑落時に携帯端末１０が壊れてしまったりバッテリ切れになってしまったりして現在位置を送信できないこともある。また、図５のステップＳ２１で説明したように、ＧＰＳ部から送られてくる現在位置は所定時間ごとである。このため、遭難した場所が明確に特定できない場合もある。
【００７３】
そのような場合に、遭難した登山者が他の登山者と道ですれ違っているか等の情報も重要になる。遭難した登山者とすれ違った可能性がある登山者から情報を得る方法を、図８を使って説明する。図８は、遭難した登山者の情報収集フローチャートである。なお、図８のフローチャートは、遭難した登山者Ａの携帯端末１０との通信ができない前提である。
【００７４】
ステップＳ９１では、地元警察もしくは地元救助隊から遭難した登山者Ａの問い合わせがあると、サーバ５０の遭難情報管理部５８が、遭難した登山者の日時と現在位置との履歴を位置情報記憶部５３から確認する。
【００７５】
ステップＳ９２では、この遭難した登山者Ａの履歴に基づいて、遭難情報管理部５８が遭難した登山者Ａとすれ違ったり会ったりする可能性がある登山者Ｂを特定する。位置情報記憶部５３には、登山者Ｂの日時と現在位置との履歴とが残されているため、遭難情報管理部５８が現在位置と日時とが近い登山者Ｂを特定する。複数の登山者Ｂが特定されれが、そのすべての登山者Ｂが該当する。
【００７６】
ステップＳ９３では、遭難情報管理部５８は、送信・受信部５７を介して、登山者Ｂの携帯端末１０に通信ログをサーバ５０に送信するように指示する。携帯端末１０は、通信ログ記憶部１６から、送信・受信部１９を介して通信ログをサーバ１０に送る。通信ログは、Ｂｌｕｅｔｏｏｔｈ（登録商標）などで数ｍ程度の短距離無線で携帯端末１０同士が交信した履歴である。通信ログには、携帯端末１０ごとに特徴ある数字又は符号、及び通信した日時を含んでいる。
【００７７】
ステップＳ９４では、遭難情報管理部５８は、送られてきた通信ログに基づいて、遭難した登山者Ａとの通信ログを有している登山者Ｂを特定する。
ステップＳ９５では、遭難情報管理部５８は、遭難した登山者Ａの通信ログを有する登山者Ｂに、登山計画書６０に記録された外観情報６６（図４を参照）を送る。
【００７８】
ステップＳ９６では、地元警察もしくは地元救助隊に、遭難した登山者Ａと会った可能性のある登山者Ｂの連絡先を知らせ、地元警察もしくは地元救助隊は、電話等で登山者Ｂとに連絡する。すでに登山者Ｂには、遭難した登山者Ａの外観情報６６が送られているため、地元警察もしくは地元救助隊は遭難した登山者Ａの状況を確認しやすくなっている。
【００７９】
以上、本発明の最適な実施形態について詳細に説明したが、当業者に明らかなように、本発明はその技術的範囲内において実施形態に様々な変更・変形を加えて実施することができる。
【符号の説明】
【００８０】
１００  …  登山計画書管理システム
１０  …  携帯端末
１１  …  ＧＰＳ部、１２  …  ジャイロスコープ、１３  …  スピーカ、１４  …  滑落判断部、１５  …  入力部、１６  …  通信ログ記憶部、１７  …  時計、１８  …  ＬＥＤ光源  …  １９  …  送信・受信部
２０  …  環境／体調計測器
２１  …  体調計測部、２２  …  環境計測部２２、
５０  …  サーバ
５１  …  ＷＥＢ管理部、５２  …  計画書記憶部、５３  …  位置情報記憶部、５４  …  位置情報管理部、５５  …  環境記憶部、５６  …  危険環境判断部、５７  …  送信・受信部、５８  …  遭難情報管理部
６０  …  登山計画書
【図１】
2014049065.tif 000003
【図２】
2014049065.tif 000004
【図３】
2014049065.tif 000005
【図４】
2014049065.tif 000006
【図５】
2014049065.tif 000007
【図６】
2014049065.tif 000008
【図７】
2014049065.tif 000009
【図８】
2014049065.tif 000010